(57)【要約】      （修正有）【課題】  回路基板の耐衝撃性及び放熱性の向上を図る。【解決手段】  パーソナルコンピューター等の情報処理装置において、外部から外筐に付与された振動や衝撃が回路基板にほとんど減衰されることなく伝達されるのを効果的に防止し、発生した熱を外部へ放出して外筐の内部温度を一定以下の温度に保持するため、第１のケース４４と第２のケース４５が結合された外筐１１と、該外筐内に配置され該外筐に取り付けられた金属フレーム４６と、外筐内に配置され金属フレームに取り付けられた回路基板４８とを設けた。【選択図】図１６
2007305041.tif 000002
【特許請求の範囲】
【請求項１】
第１のケースと第２のケースが結合された外筐と、
該外筐内に配置され該外筐に取り付けられた金属フレームと、
外筐内に配置され金属フレームに取り付けられた回路基板とを備えた
ことを特徴とする情報処理装置。
【請求項２】
第１のケースと第２のケースを取付ネジによって取り付け、
金属フレームに上記取付ネジが挿通されるネジ挿通孔を形成し、
取付ネジの軸部の径をネジ挿通孔の径より小さくした
ことを特徴とする請求項１に記載の情報処理装置。
【請求項３】
上記金属フレームをマグネシウムによって形成した
ことを特徴とする請求項１に記載の情報処理装置。
【発明の詳細な説明】
【技術分野】
【０００１】
本発明は情報処理装置についての技術分野に関する。詳しくは、外筐の内部に配置される回路基板を金属フレームを介して外筐に取り付けて回路基板の耐衝撃性及び放熱性の向上を図る技術分野に関する。
【背景技術】
【０００２】
パーソナルコンピューター等の情報処理装置においては、外筐の内部に所要の処理制御を行うための所謂マザーボードと称される回路基板が配置され、情報処理装置の使用時には回路基板の電子部品等に発熱が生じる。
【０００３】
特に、近年、携帯性に優れた小型の装置が開発されており（例えば、特許文献１参照）、このような小型の装置にあっては、外筐の内部の空間が小さいため、外筐の内部の温度が上昇し易い。
【０００４】
【特許文献１】特開２００３−２８８１５４号公報
【発明の開示】
【発明が解決しようとする課題】
【０００５】
上記のように回路基板の電子部品等に生じた熱は、各部の動作に影響を及ぼすため、情報処理装置においては、発生した熱を外部へ放出して外筐の内部温度を一定以下の温度に保持することが必要とされる。
【０００６】
特に、小型の装置にあっては、上記したように、外筐の内部の温度が上昇し易いため、温度上昇の抑制を効率的に行う必要がある。
【０００７】
一方、外筐の内部に配置される回路基板は、外筐の内面にネジ止め等によって取り付けられているため、外部から外筐に振動や衝撃が付与された場合には、付与された振動や衝撃が外筐から回路基板にほとんど減衰されることなく伝達され、回路基板の歪みや破損等という不具合を生じるおそれがある。特に、携帯性に優れた小型の装置にあっては、落下衝撃の発生確率が高くなるため、回路基板への衝撃等の伝達を効果的に防止する必要がある。
【０００８】
そこで、本発明情報処理装置は、上記した問題点を克服し、回路基板の耐衝撃性及び放熱性の向上を図ることを課題とする。
【課題を解決するための手段】
【０００９】
本発明情報処理装置は、上記した課題を解決するために、第１のケースと第２のケースが結合された外筐と、該外筐内に配置され該外筐に取り付けられた金属フレームと、外筐内に配置され金属フレームに取り付けられた回路基板とを設けたものである。
【００１０】
従って、本発明情報処理装置にあっては、回路基板に発生した熱が金属フレームから放出されると共に外筐に付与された衝撃等が金属フレームによって減衰されて回路基板に伝達される。
【発明の効果】
【００１１】
本発明情報処理装置は、第１のケースと第２のケースが結合された外筐と、該外筐内に配置され該外筐に取り付けられた金属フレームと、外筐内に配置され金属フレームに取り付けられた回路基板とを備えたことを特徴とする。
【００１２】
従って、回路基板に発生した熱が金属フレームから外部へ放出され、外筐の内部の温度上昇を効率的に抑制することができる。
【００１３】
また、外部から外筐に振動や衝撃が付与された場合において、付与された振動や衝撃が金属フレームによって減衰されて回路基板に伝達され、該回路基板の歪みや割れ等を防止することができる。
【００１４】
請求項２に記載した発明にあっては、第１のケースと第２のケースを取付ネジによって取り付け、金属フレームに上記取付ネジが挿通されるネジ挿通孔を形成し、取付ネジの軸部の径をネジ挿通孔の径より小さくしたので、金属フレームに伝達される振動や衝撃の大きさによっては金属フレームが外筐に対して移動され、振動や衝撃を吸収することができる。
【００１５】
請求項３に記載した発明にあっては、上記金属フレームをマグネシウムによって形成したので、良好な放熱性、高い剛性及び軽量化を図ることができる。
【発明を実施するための最良の形態】
【００１６】
以下に、本発明情報処理装置を添付図面に従って説明する。以下に示す最良の形態は、本発明情報処理装置をパーソナルコンピューターに適用したものである。
【００１７】
尚、本発明情報処理装置の適用範囲はパーソナルコンピューターに限られることはなく、本発明情報処理装置は、例えば、ＰＤＡ（Personal Digital Assistant）、ネットワーク端末、携帯情報端末、ワークステーション等の各種の情報処理装置に広く適用することができる。
【００１８】
情報処理装置（パーソナルコンピューター）１はディスプレイ２と装置本体３とを備えている（図１参照）。
【００１９】
ディスプレイ２は、装置本体３に上下方向へスライド自在に支持され（図１及び図２参照）、横長の扁平な略矩形状に形成された表示用筐体４と、該表示用筐体４に組み付けられた表示パネル５とを有している。
【００２０】
表示用筐体４の前面における上端部には、左右に離隔してスピーカー孔６、指紋センサー７及び前面カメラ部８が設けられている。
【００２１】
スピーカー孔６は表示用筐体４の内部に配置された図示しないスピーカーからの音声を出力するための孔である。
【００２２】
指紋センサー７は登録した指紋情報を読み取るためのセンサーである。指紋センサー７を用いることによりパスワードやアカウント等の入力を指紋で代用することが可能である。
【００２３】
前面カメラ部８は、主に、情報処理装置１の使用者自身を撮影するカメラとして機能する。前面カメラ部８によって使用者自身を撮影することにより、例えば、テレビ電話の使用に有用である。
【００２４】
表示用筐体４の後面にはカメラ部９が配置されている（図３参照）。カメラ部９は、ディスプレイ２が上方へ移動されて一部が装置本体３から上方へ突出された状態において露出され、ディスプレイ２が下方へ移動されて装置本体３から突出されない状態において閉塞される（図３及び図４参照）。カメラ部９は、主に、使用者以外の被写体を撮影するカメラとして機能する。
【００２５】
上記のように、ディスプレイ２のスライド動作によってカメラ部９を開閉するように構成することにより、カメラ部９の不使用時には該カメラ部９を保護することができると共に必要時にのみカメラ部９を露出させて使用することができる。
【００２６】
表示用筐体４の上面にはフォーカス切り替えスイッチ１０が配置されている（図５参照）。フォーカス切り替えスイッチ１０を操作することにより、カメラ部９におけるフォーカスモードの切替を行うことができる。
【００２７】
表示用筐体４の下面は前方へ行くに従って上方へ変位するように傾斜された傾斜面４ａに形成されている。このように傾斜面４ａを形成することにより、図６に示すように、装置本体３を双方の手１００、１００で把持した状態で親指１０１、１０１を傾斜面４ａに宛ってディスプレイ２を装置本体３に対して上方へ容易にスライドさせることができる（図１の矢印Ａ参照）。
【００２８】
装置本体３は外筐１１の内外に所要の各部が配置又は取り付けられて成る（図１及び図２参照）。外筐１１はカーボン材料を基材として金属ファイバーが含有された所謂カーボンファイバーによって形成されている。
【００２９】
装置本体３は左右両端部を除く部分が横長の略直方体状に形成された支持部１２として設けられ、該支持部１２の左右両側の部分がそれぞれグリップ部１３、１４として設けられている。
【００３０】
支持部１２の前面における下半部には複数の操作キーを有するキーボード１５が設けられている（図２参照）。キーボード１５は、ディスプレイ２が上方へ移動されて一部が装置本体３から上方へ突出された状態において露出され、ディスプレイ２が下方へ移動されて装置本体３から突出されない状態において閉塞される（図１及び図２参照）。
【００３１】
このように、ディスプレイ２のスライド動作によってキーボード１５を開閉するように構成することにより、キーボード１５の不使用時には該キーボード１５を保護することができると共に必要時にのみキーボード１５を露出させて使用することができる。
【００３２】
グリップ部１３は支持部１２の左端から左斜め上方へ突出されている。グリップ部１３の上下両面を除く面は、外方へ凸の曲面１３ａに形成され支持部１２の前面と後面に連続されている。
【００３３】
グリップ部１３には、上側から順にそれぞれ前方を向く左釦１６、右釦１７、センター釦１８及び操作釦１９が配置されている。左釦１６、右釦１７及びセンター釦１８は、それぞれマウス装置に設けられる左釦、右釦及びホイールに相当する釦である。操作釦１９は所定のソフトウェアを実行するための釦である。
【００３４】
グリップ部１３の下端部には通信機能実行スイッチ２０が配置されている。通信機能実行スイッチ２０を操作することにより、通信機能の実行及び停止を行うことができる。
【００３５】
グリップ部１４は支持部１２の右端から右斜め上方へ突出されている。グリップ部１４の上下両面を除く面は、外方へ凸の曲面１４ａに形成され支持部１２の前面と後面に連続されている。
【００３６】
グリップ部１４には、上側から順にそれぞれ前方を向くスティックポインター２１及びズーム釦２２、２２が配置されている。スティックポインター２１は、表示パネル５上のポインターを移動させるマウス装置の機能を有している。ズーム釦２２、２２は前面カメラ部８及びカメラ部９によって撮影される像をズーミングする機能を有する釦である。
【００３７】
グリップ部１４の下端部には、電源スイッチ２３及びマイク孔２４が設けられている。マイク孔２４は外筐１１の内部に配置された図示しないマイクロフォンに音声を入力するための孔である。
【００３８】
グリップ部１３に配置された左釦１６、右釦１７、センター釦１８、操作釦１９、通信機能実行スイッチ２０及びグリップ部１４に配置されたスティックポインター２１、ズーム釦２２、２２、電源スイッチ２３は、使用者がグリップ部１３、１４を両手１００、１００で把持した状態で操作を行うことができる操作部２５として機能する。
【００３９】
上記のように、グリップ部１３、１４がそれぞれ支持部１２からディスプレイ２側へ向けて突出されているため、該ディスプレイ２はグリップ部１３、１４によって左右から覆われた状態とされる（図５参照）。
【００４０】
装置本体３の左側面にはコネクター端子２６、例えば、ＵＳＢ（Universal Serial Bus）端子が設けられている（図３及び図４参照）。
【００４１】
装置本体３の上面には、排気孔２７、媒体スロット２８及び撮影用釦２９が設けられている（図５参照）。
【００４２】
排気孔２７は装置本体３の左右方向における略中央部に位置され、外筐１１の内部で温度が上昇した冷却空気を外部へ放出する機能を有する。
【００４３】
媒体スロット２８には、例えば、カード型の記憶媒体が装着される。
【００４４】
撮影用釦２９は右端部に位置され、前面カメラ部８及びカメラ部９によって静止画又は動画を撮影するときに押圧操作される釦である。
【００４５】
装置本体３の上面には左右に離隔して後述する二つのアンテナが搭載され、該二つのアンテナがアンテナカバー３０によって覆われている。
【００４６】
装置本体３の下面には、吸気孔３１、外部用コネクター３２、電源コネクター３３、接続コネクター３４、３４が設けられている（図１乃至図４参照）。
【００４７】
吸気孔３１は外筐１１の内部に外部から冷却空気を取り込む機能を有する。
【００４８】
外部用コネクター３２は、例えば、外部ディスプレイや液晶プロジェクター等の外部機器との接続を行うためのコネクターである。
【００４９】
電源コネクター３３には、商用電源用の電源コードが接続される。
【００５０】
接続コネクター３４、３４は、例えば、外部スピーカー、ヘッドホーン、マイク等の各種の機器を接続するためのコネクターである。
【００５１】
装置本体３の後面には左右に離隔して突状部３５、３６が設けられている（図３乃至図５参照）。突状部３５、３６は厚みの薄い扁平な形状に形成され、上下幅が装置本体３の上下幅より稍小さく形成され、それぞれ装置本体３の左側面及び右側面に連続するように形成されている。突状部３５、３６の後面は平面状に形成されている。
【００５２】
装置本体３には、突状部３５、３６が形成されることにより、その間の部分が浅い凹部３７として形成されている。凹部３７には上下に離隔して複数の吸気孔３８、３８、・・・が形成されている（図３及び図４参照）。吸気孔３８、３８、・・・は、上記した吸気孔３１と同様に、外筐１１の内部に外部から冷却空気を取り込む機能を有する。
【００５３】
突状部３５の右端部には右方へ行くに従って前方へ変位する傾斜状に形成された段差面３５ａが形成されている。
【００５４】
突状部３５には第１のアンテナ３９が回動自在に支持されている（図３乃至図５参照）。第１のアンテナ３９は突状部３５の上端部を支点として回動可能とされ、不使用時には全体が突状部３５に対応して位置され（図４参照）、使用時には回動されて装置本体３から上方へ突出された状態で用いられる（図３参照）。第１のアンテナ３９は、例えば、地上デジタルテレビ放送のサービスの一つである１ＳＥＧ（Segment）や遠隔地にあるＬＡＮ（Local Area Network）同士を専用線等で接続したＷＡＮ（Wide Area Network）に対応するアンテナである。
【００５５】
突状部３６の左端部には左方へ行くに従って前方へ変位する傾斜状に形成された段差面３６ａが形成されている。
【００５６】
突状部３６には後方及び右方に開口されたバッテリー装着凹部３６ｂが形成されている（図７参照）。バッテリー装着凹部３６ｂにはバッテリー４０が装着される。従って、突状部３６はバッテリー装着凹部３６ｂにバッテリー４０が装着されることにより構成される。
【００５７】
上記したように第１のアンテナ３９は、使用時に回動されて装置本体３から上方へ突出された状態で用いられるため、第１のアンテナ３９の不使用時において一層の情報処理装置１の小型化を図ることができる。
【００５８】
また、第１のアンテナ３９は使用時にのみ装置本体３に対して回動させて該装置本体３から上方へ突出させればよいため、使い勝手の向上を図ることができる。
【００５９】
突状部３６には、突状部３５側の端部に上方に開口された図示しないペン収納部が形成されている。ペン収納部には入力ペン４１が収納される（図３乃至図５参照）。
【００６０】
情報処理装置１においては、上記したように、グリップ部１３、１４が設けられており、使用者は情報処理装置１を携帯用の機器として使用する場合には、図６に示すように、両手１００、１００でそれぞれグリップ部１３、１４を把持して各種の操作を行う。
【００６１】
この使用状態においては、グリップ部１３、１４がディスプレイ２の側方に位置されているため、把持した両手１００、１００がディスプレイ２を覆ってしまうようなことがなく、使い勝手の向上を図ることができる。
【００６２】
また、情報処理装置１にあっては、一対のグリップ部１３、１４が支持部１２から前方側へ突出されているため、使用者がグリップ部１３、１４を把持した状態において、グリップ部１３、１４が掌に馴染み、良好な把持性を確保することができる。
【００６３】
さらに、グリップ部１３、１４に操作部２５が設けられているため、グリップ部１３、１４を把持したまま指を動かして操作部２５を操作することができ（図８参照）、良好な操作性を確保することができる。
【００６４】
加えて、グリップ部１３、１４の外周面が掌の形に合わせて曲面１３ａ、１４ａに形成されているため、掌のグリップ部１３、１４に対する接触面積が大きく、良好な把持性を確保することができる。
【００６５】
使用者が両手１００、１００でグリップ部１３、１４を把持した状態においては、親指１０１、１０１以外の指１０２、１０２、・・・は装置本体３の背面に宛われる（図９参照）。装置本体３には突状部３５、３６が設けられており、指１０２、１０２、・・・の先端部はそれぞれ突状部３５、３６の支持部１２側の端部に位置する段差面３５ａ、３６ａに宛われる（図９参照）。従って、情報処理装置１を持ち易く、良好な把持性を確保し情報処理装置１の落下の防止を図ることができる。
【００６６】
また、突状部３６がバッテリー４０によって構成されているため、装置本体３に専用の突状部を設ける必要がなく、構造の簡素化を図ることができる。
【００６７】
尚、上記には、突状部３６をバッテリー４０によって構成する例を示したが、逆に、突状部３５をバッテリーによって構成してもよく、また、突状部３５、３６の双方を一対のバッテリーによって構成してもよい。
【００６８】
使用者が両手１００、１００でグリップ部１３、１４を把持した状態においては、装置本体３の上下両面及び装置本体３の後面に形成された凹部３７には両手１００、１００が接触しないため、装置本体３の上面に形成された排気孔２７、装置本体３の下面に形成された吸気孔３１及び凹部３７に形成された吸気孔３８を両手１００、１００で覆うことがなく、情報処理装置１における良好な放熱性を確保することができる。
【００６９】
装置本体３の上面には第２のアンテナ４２と第３のアンテナ４３が左右に離隔して、例えば、ネジ止めにより取り付けられている（図１０参照）。
【００７０】
第２のアンテナ４２及び第３のアンテナ４３は、第１のアンテナ３９とは通信規格の異なるアンテナであり、第２のアンテナ４２は、例えば、無線ＬＡＮ（Local Area Network）用のアンテナであり、第３のアンテナ４３は、例えば、２．４ＧＨｚ帯域の電波を使用するブルーテゥース（Bluetooth）用のアンテナである。
【００７１】
尚、上記には、第２のアンテナ４２と第３のアンテナ４３の例として、通信規格の異なる種類を示したが、例えば、第２のアンテナ４２と第３のアンテナ４３として通信規格が同じアンテナを用いてもよい。
【００７２】
第２のアンテナ４２は、左右に延びる接地部４２ａと、該接地部４２ａから上方へ突出された連結部４２ｂと、該連結部４２ｂの上端部から水平方向へ突出され接地部４２ａと平行な放射部４２ｃとを有している。第２のアンテナ４２は接地部４２ａが外筐１１の上面に面接触した状態で取り付けられ、放射部４２ｃの左端が放射端とされている。
【００７３】
第３のアンテナ４３は、左右に延びる接地部４３ａと、該接地部４３ａから上方へ突出された連結部４３ｂと、該連結部４３ｂの上端部から水平方向へ突出され接地部４３ａと平行な放射部４３ｃとを有している。第３のアンテナ４３は接地部４３ａが外筐１１の上面に面接触した状態で取り付けられ、放射部４３ｃの右端が放射端とされている。
【００７４】
上記のように、情報処理装置１にあっては、第２のアンテナ４２及び第３のアンテナ４３の接地部４２ａ、４３ａをカーボンファイバーから成る外筐１１に取り付け該外筐１１を第２のアンテナ４２と第３のアンテナ４３のグラウンドとして用いているため、グラウンド面積が大きい分、第２のアンテナ４２及び第３のアンテナ４３の良好な特性を維持した状態で第２のアンテナ４２及び第３のアンテナ４３の小型化を図ることができる。
【００７５】
また、外筐１１をグラウンドとして用いているため、別部品として第２のアンテナ４２及び第３のアンテナ４３の専用のグラウンドを設ける必要がなく、構造の簡素化及び部品点数の削減を図ることができる。
【００７６】
さらに、第２のアンテナ４２及び第３のアンテナ４３をグリップ部１３、１４以外の部分に取り付けているため、使用者がグリップ部１３、１４を把持したときに第２のアンテナ４２及び第３のアンテナ４３を両手１００、１００で覆ってしまうことがなく、第２のアンテナ４２及び第３のアンテナ４３の良好な性能を維持することができる。
【００７７】
加えて、情報処理装置１にあっては、第２のアンテナ４２の放射部４２ｃの放射端と第３のアンテナ４３の放射部４３ｃの放射端とがそれぞれ外端にあり、両者が大きく離隔して位置されている。従って、第２のアンテナ４２と第３のアンテナ４３の通信状態における干渉を抑制することができる。
【００７８】
次に、情報処理装置１の内部構造について説明する（図１１乃至図１６参照）。
【００７９】
外筐１１は、第１のケース４４と第２のケース４５が上下で結合されて成る（図１１乃至図１３参照）。
【００８０】
第１のケース４４の内面（下面）にはそれぞれ下方に開口された螺穴を有する取付ボス４４ａ、４４ａ、４４ａが設けられている（図１３参照）。
【００８１】
第２のケース４５の内面（上面）にはそれぞれ上下に貫通された挿通孔を有する取付軸４５ａ、４５ａ、４５ａが設けられている。
【００８２】
外筐１１の内部には金属フレーム４６が固定されている（図１３乃至図１５参照）。金属フレーム４６は厚みが薄く外形が略矩形状に形成され、例えば、マグネシウムによって形成されている。尚、金属フレーム４６を他の金属材料、例えば、アルミニウムによって形成してもよい。
【００８３】
金属フレーム４６にはボス４７、４７、４７が設けられ、該ボス４７、４７、４７にはそれぞれ上下に貫通されたネジ挿通孔４７ａ、４７ａ、４７ａが形成されている（図１４参照）。金属フレーム４６には４つの角部にそれぞれ上方に開口された螺孔を有する基板固定用ボス４６ａ、４６ａ、・・・が設けられている。
【００８４】
金属フレーム４６の上面には回路基板４８が固定される（図１３乃至図１５参照）。回路基板４８上には電子部品４８ａ、４８ａ、・・・が搭載され、該電子部品４８ａ、４８ａ、・・・は、その駆動時に熱を発生する発熱体となるものがある。回路基板４８の４隅には、それぞれネジ挿通孔４８ｂ、４８ｂ、・・・が形成されている。
【００８５】
回路基板４８は、ネジ挿通孔４８ｂ、４８ｂ、・・・にそれぞれ挿通されたネジ部材４９、４９、・・・が金属フレーム４６の基板固定用ボス４６ａ、４６ａ、・・・に螺合されることにより金属フレーム４６に固定される。
【００８６】
金属フレーム４６の下面にはハードディスク５０が、例えば、ネジ止めにより固定される（図１４及び図１５参照）。ハードディスク５０は、２つの側縁にダンパー５１、５１が取り付けられた状態で金属フレーム４６に固定される。
【００８７】
金属フレーム４６は、上記のように、回路基板４８及びハードディスク５０が取り付けられた状態において、取付ネジ５２、５２、５２によって外筐１１の内部に取り付けられる（図１３参照）。取付ネジ５２、５２、５２の軸部の径はそれぞれ金属フレーム４６のボス４７、４７、４７のネジ挿通孔４７ａ、４７ａ、４７ａの径より小さくされている。
【００８８】
取付ネジ５２、５２、５２は、それぞれ下方から第２のケース４５の取付軸４５ａ、４５ａ、４５ａ及び金属フレーム４６のボス４７、４７、４７を挿通され、第１のケース４４の取付ボス４４ａ、４４ａ、４４ａに螺合される。従って、金属フレーム４６は第１のケース４４と第２のケース４５に上下で挟持された状態で外筐１１の内部に取り付けられ、回路基板４８は金属フレーム４６を介して外筐１１の内部に取り付けられる（図１６参照）。
【００８９】
金属フレーム４６が外筐１１の内部に取り付けられた状態においては、上記したように、取付ネジ５２、５２、５２の軸部の径が金属フレーム４６のネジ挿通孔４７ａ、４７ａ、４７ａの径より小さくされているため、金属フレーム４６が外筐１１に対して水平方向へ移動可能とされている。
【００９０】
また、金属フレーム４６が外筐１１の内部に取り付けられた状態においては、回路基板４８と第１のケース４４の間及びハードディスク５０と第２のケース４５の間に一定の隙間が形成されている。
【００９１】
上記したように、情報処理装置１にあっては、回路基板４８が外筐１１の内部に配置された金属フレーム４６に取り付けられているため、回路基板４８の電子部品４８ａ、４８ａ、・・・に発生した熱が金属フレーム４６から外筐１１に形成された排気孔２７を介して外部へ排出され、外筐１１の内部の温度上昇を効率的に抑制することができる。
【００９２】
特に、情報処理装置１のような小型の装置にあっては、外筐１１の内部の温度が上昇し易いため、上記のように、外筐１１の内部の温度上昇を効率的に抑制することにより、各部の動作の信頼性の向上を図ることができる。
【００９３】
また、回路基板４８が外筐１１に取り付けられておらず金属フレーム４６に取り付けられているため、外部から外筐１１に振動や衝撃が付与された場合において、付与された振動や衝撃が金属フレーム４６によって減衰されて回路基板４８に伝達され、該回路基板４８の歪みや割れ等を防止することができる。
【００９４】
さらに、金属フレーム４６は第１のケース４４と第２のケース４５に挟持された状態で取り付けられているが、取付ネジ５２、５２、５２の軸部の径が金属フレーム４６のネジ挿通孔４７ａ、４７ａ、４７ａの径より小さくされ金属フレーム４６が外筐１１に対して水平方向へ移動可能とされているため、金属フレーム４６に伝達される振動や衝撃の大きさによっては金属フレーム４６が外筐１１に対して水平方向へ移動され、振動や衝撃を吸収することができる。
【００９５】
さらにまた、金属フレーム４６はマグネシウムによって形成されているため、良好な放熱性、高い剛性及び軽量化を図ることができる。
【００９６】
加えて、情報処理装置１にあっては、ハードディスク５０が金属フレーム４６に取り付けられているため、外部から外筐１１に振動や衝撃が付与された場合において、付与された振動や衝撃が金属フレーム４６によって減衰されてハードディスク５０に伝達され、該ハードディスク５０の動作の信頼性の向上を図ることができる。
【００９７】
尚、上記に示した前後上下左右の方向は説明の便宜上使用した方向であり、本発明の適用においてこれらの方向に限定されることはない。
【００９８】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００９９】
【図１】図２乃至図１６と共に本発明の最良の形態を示すものであり、本図は、キーボードが閉じられた状態で示す情報処理装置の斜視図である。
【図２】キーボードが開かれた状態で示す情報処理装置の斜視図である。
【図３】情報処理装置の背面側をディスプレイが装置本体から突出され第１のアンテナが引き出された状態で示す斜視図である。
【図４】情報処理装置の背面側を示す斜視図である。
【図５】情報処理装置の平面図である。
【図６】情報処理装置が両手で把持されている状態を示す斜視図である。
【図７】バッテリーが取り外された状態で示す情報処理装置の斜視図である。
【図８】操作部が操作されている状態で示す情報処理装置の斜視図である。
【図９】情報処理装置が両手で把持されている状態を示す底面図である。
【図１０】アンテナカバーを取り外して示す情報処理装置の正面図である。
【図１１】ディスプレイと装置本体を分離して示す情報処理装置の斜視図である。
【図１２】キーボードとディスプレイを分離した状態で示す情報処理装置の斜視図である。
【図１３】内部構造を示す分解斜視図である。
【図１４】金属フレームと回路基板とハードディスクを示す分解斜視図である。
【図１５】金属フレームと回路基板を示す分解斜視図である。
【図１６】内部構造を示す概略断面図である。
【符号の説明】
【０１００】
１…情報処理装置、１１…外筐、４４…第１のケース、４５…第２のケース、４６…金属フレーム、４７ａ…ネジ挿通孔、４８…回路基板、５２…取付ネジ
【図１】
2007305041.tif 000003
【図２】
2007305041.tif 000004
【図３】
2007305041.tif 000005
【図４】
2007305041.tif 000006
【図５】
2007305041.tif 000007
【図６】
2007305041.tif 000008
【図７】
2007305041.tif 000009
【図８】
2007305041.tif 000010
【図９】
2007305041.tif 000011
【図１０】
2007305041.tif 000012
【図１１】
2007305041.tif 000013
【図１２】
2007305041.tif 000014
【図１３】
2007305041.tif 000015
【図１４】
2007305041.tif 000016
【図１５】
2007305041.tif 000017
【図１６】
2007305041.tif 000018